(57)【要約】  施術者がシステムを保持し、患者の口腔内でそれを操作することを可能にするハンドルを含む歯科用鏡アセンブリ。シャフトアセンブリが、ハンドル内のモータを、鏡に角運動量を伝達するギアボックスに接続する。鏡をスピンさせる動力は、ハンドル内のモータからシャフトに流れる。そこから、動力は、かさ歯車に、次いでスピン機構に流れ、鏡をスピンさせる。切り替え機構が、スピン機構を切り替えるために使用される。【選択図】図１
2021509629.tif 000002
【特許請求の範囲】
【請求項１】
歯科用鏡アセンブリであって、ハンドルが、施術者がシステムを保持してそれを操作することを可能にし、前記ハンドルに間接的に取り付けられた鏡ハウジングが、回転可能な鏡に接続し、前記アセンブリは、
・前記ハンドル内の電気モータと、前記鏡に接続されたギアボックスとの間を接続するシャフトサブアセンブリと、
・前記モータから前記鏡に角運動量を伝達するためのかさ歯車と、を備え、
・前記ハンドルは、モータと少なくとも１つの鏡スピン切り替え機構とを収容している、歯科用鏡アセンブリ。
【請求項２】
前記切り替え機構は、オン／オフスイッチである、請求項１に記載の歯科用鏡アセンブリ。
【請求項３】
前記切り替え機構は、自動スイッチである、請求項１に記載の歯科用鏡アセンブリ。
【請求項４】
前記切り替え機構は、オーディオスイッチである、請求項１に記載の歯科用鏡アセンブリ。
【発明の詳細な説明】
【技術分野】
【０００１】
関連出願の相互参照
本出願は、「歯科で使用するための鏡アセンブリ」と題された、２０１８年１月２日に出願された米国仮特許出願第６２／６１２，７３１号の優先権の利益を主張し、前述の出願は参照により本明細書に組み入れられる。
【０００２】
本発明は、歯科において有用な器具に関する。
【背景技術】
【０００３】
歯科医の仕事は、患者の口腔内での検査と能動的な機械的／外科的介入の実施を伴う。歯科医と補助員が扱う小さな鏡は、口腔内、より具体的には、歯／損傷した歯、顎および歯肉の中やその周辺にある引っ込みや隙間を視認する助けとなる。
【０００４】
特に歯科治療中の口腔は、水分が多く湿った暖かい環境であり、鏡が見えにくくなる。米国特許出願第２０１６／０３６０９５７号は、反射面から破片および湿気を取り除くために鏡を回転させる回転機構を備えた歯科医用鏡を開示している。回転は、歯科医が適用する吸引機構の動力よってもたらされる。米国特許出願第２００４／００７６０１９号には、駆動手段が鏡を下から直接支持する回転可能な歯科用鏡が開示されている。
【０００５】
本出願は、患者の治療中に歯科医の鏡の有効な機能を改善するために構造的および機能的にてこ入れされた鏡を提示する。
【図面の簡単な説明】
【０００６】
本発明を、例示のみを目的として、添付の図面を参照して、本明細書に記載する。
【図１】鏡がハンドルに間接的に取り付けられている、本発明の鏡アセンブリの等尺概略全体図である。
【図２】ハンドルは図示されていない、鏡アセンブリの等尺図である。
【図３】本発明によるデバイスにおける角運動量の流れを示すブロック図である。
【図４】鏡のスピンを容易にする歯車の等尺概略図である。
【図４Ａ】図４の詳細ウィンドウの、かさ歯車および直近の機械部品の等尺概略図である。
【図５】鏡のスピン機構を作動させるための自動機構（ＡＭＡＭ）のコンポーネント間の機能的関連を示すブロック図である。
【図６】最終的にモータドライバを作動させるためにオーディオ信号が通過するメインモジュールを示すシーケンススキームである。
【図７】代替の切り替え機構と、それらのスピン機構／鏡との関連とを説明するブロックスキームである。
【０００７】
発明の開示
本発明による鏡アセンブリを、図１で参照する。ハンドル２２は、施術者がシステムを保持し、口腔内でそれを操作することを可能にするモジュールである。それは、典型的には、電池と、回転電気モータとを収容する。オン／オフスイッチ２４は、ハンドル内のモータの作動または停止を容易にする。鏡２６は、図に示される反射面２６Ａを有する。鏡２６は、鏡ハウジング２８内に包み込まれている。ギアボックス３２は、鏡ハウジング２８に隣接して示されている。駆動シャフトサブアセンブリ３４が、ギアボックス３２とハンドルとの間を接続し、または機能的には、ハンドル２２内に隠されたモータに接続する。さらなる構造的特徴および機能的特性を図２を参照して説明する。鏡２６は、その反射面２６Ａがハウジング２８から外側に向いている。ギアボックス３２は、鏡ハウジング２８とシャフトサブアセンブリ３４との間に配置されている。ここで、シャフトサブアセンブリ３４は、シャフトカバー５６によって覆われたシャフト５４を含むことが分かる。シャフト５４は、両方向矢印６４で示されるように、軸６２の周りでどちらのスピン方向にも転回可能である。
【０００８】
歯車を含む動力伝達システム
本発明によれば、湿度および／または破片を取り除くために有効となる鏡のスピンは、モータから鏡に向かって流れる角運動量の伝達によってもたらされる。ハンドルに配置されたモータは、シャフト５４を回転させ、シャフト５４は、図３に見られるように、角運動量を伝達する。モータ６０が、角運動量をシャフト５４に伝達し、さらに角運動量をかさ歯車６２に伝達する。角運動量はさらに、回転速度増加歯車６４であり得る別の歯車に伝達される。最後に、鏡の基部にある歯車６６が、鏡をスピンさせるための所望の動力を提供するための角運動量を受け取る。しかしながら、歯車６４および６６は、鏡に望ましい回転速度（スピン）を誘発できる２つ〜数個のより多くの歯車のいくつかの任意選択の組み合わせを表すことは指摘されるべきである。構造的に、好ましい角運動量トレインを図４に示す。シャフト５４は、その末端に、歯車７４と共通の軸７６を有する歯車７２（本図ではほとんど隠れている）と相互作用する円錐歯車７０を有する。歯車７４は、歯車７８と相互作用する。歯車７８は、鏡２６の軸８０に取り付けられた歯車６６とも相互作用する。図４Ａには、角運動量トレインのかさ歯車と周囲のコンポーネントとがより詳細に示されている。シャフト５４が転回し、角運動量を２つの円錐歯車からなるかさ歯車６２に伝達する。円錐歯車７０は円錐歯車７２と噛合しており、軸７６が角運動量を歯車７４に伝達する。
【０００９】
鏡のメンテナンス
鏡が損傷または摩耗しているような場合には、図２に示す部品をハンドルから引き出して交換できる。この時点で、シース５６は、交換してもしなくてもよく、シース内での自由なスピンを可能にするために、シャフト５４と係合することなくシャフト５４を包むように作られていることに留意されたい。
【００１０】
鏡の作動の自動化
鏡は使用時に湿ったり汚れたりするので、ユーザは、鏡をきれいにするためにオン／オフスイッチ２４をオンにすることによってスピン機構を作動させることが期待される。ＡＭＡＭを説明する概略ブロック図を図５に示す。代替の切り替え機構は自動的なものである。そのような自動鏡作動機構（ＡＭＡＭ）は、好ましくはハンドル２２上に配置された照明素子８２（典型的には、ＬＥＤ、発光ダイオード）を含む電気光学モジュールである。放射された光は、光源素子から鏡の反射面２６Ａに伝搬される。ハンドル２２上など、恐らくＬＥＤの近くに配置された光検出器８４は、反射鏡２６Ａを標的とする。理想的には、ＬＥＤから発せられる光エネルギーの特定の部分が、光検出器８４によって受け取られる。プロセッサ８６は比率を計算し、ビームの出力に対する受信出力の割合が低すぎる場合、プロセッサは鏡ドライバ８８を切り替えて、鏡のスピンを自動的に開始する。いくつかの実施形態では、照明素子８２などのＡＭＡＭの光源は、可視波長の光に比べて水による光吸収に特により高感度を示す赤外線源である。
【００１１】
オーディオ切り替え
スピン機構のスイッチをオンまたはオフにするために、ある種の音または単語認識モジュールの形態を歯科用鏡アセンブリに挿入して、施術者が発した単語または発話を拾い上げて認識することができる。既知の音声認識機構の場合と同様に、機構はトレーニングセッションを経る必要がある。図６で分かるように、信号がデジタル化され、プロセッサによる受け入れのために準備された後、マイクロフォン９２が機能的にプロセッサ８６に接続する。信号が分析されて解釈が完了すると、肯定的な結果はモータドライバ８８を作動させる。施術者は、発話または特定の音によってシステムを呼び出すことを決定し得るので、誤警報の発生は最小限に抑えられる。そのようなモジュールは、典型的には、ハンドル内に収容されている。
【００１２】
図７に、任意選択の切り替え機構９４を、鏡のスピンに関するとして示す。切り替え機構は、手動切り替え９２、光反射切り替え９６、発話認識切り替え９８のいずれかである。これらはすべて相互に排他的に作動され、スピン機構１００を実行させ、続いて鏡１０２をスピンさせる。
【図１】
2021509629.tif 000003
【図２】
2021509629.tif 000004
【図３】
2021509629.tif 000005
【図４】
2021509629.tif 000006
【図４Ａ】
2021509629.tif 000007
【図５】
2021509629.tif 000008
【図６】
2021509629.tif 000009
【図７】
2021509629.tif 000010
【国際調査報告】
2021509629.tif 000011
2021509629.tif 000012